(57)【要約】【課題】簡易な配線構造で、出力する光の色分離を有効に防止することができる発光モジュール装置、照明装置および発光装置を提供する。【解決手段】発光装置が、第１発光素子３Ａを収納する第１発光部１２Ａと、第２発光素子３Ｂを収納する第２発光部１２Ｂとを備える。第１発光部１２Ａ側における第１端部には、回路基板２０から制御電力が供給される第３端子部４３と第４端子部４４とが並んで設けられる。第２発光部１２Ｂ側における第２端部には、回路基板２０から制御電力が供給され、第３端子部４３と相対する位置に配置される第５端子部４５と第４端子部４４と相対する位置に配置される第６端子部４６とが並んで設けられる。第３端子部４３から第５端子部４５に電流が流れるとともに、第６端子部４６から第４端子部４４に電流が流れる。【選択図】図１
2014044814.tif 000002
【特許請求の範囲】
【請求項１】
第１発光素子と、第２発光素子と、前記第１発光素子を収納し、前記第１発光素子の発光に基づき所定の色の光を出射する第１発光部と、前記第２発光素子を収納し、前記第２発光素子の発光に基づき所定の色の光を出射する第２発光部とを有する複数の発光装置と、
前記複数の発光装置が配列され、各発光装置に制御電力を供給する第１端子部及び第２端子部を有する回路基板と、
を備え、
前記各発光装置は、前記回路基板上に、前記第１発光部、及び前記第２発光部が当該各発光装置の配列方向に対して交互に位置するように配置されており、
前記第１発光部側における前記各発光装置の第１端部には、第３端子部と第４端子部とが並んで設けられ、
前記第２発光部側における前記各発光装置の前記第１端部と相対する第２端部には、前記第３端子部と相対する位置に配置される第５端子部と前記第４端子部と相対する位置に配置される第６端子部とが並んで設けられ、
前記各発光装置は、前記第３端子部と前記第５端子部とが電気的に接続され、前記第３端子部から前記第５端子部に電流が流れるとともに、前記第４端子部と前記第６端子部とが電気的に接続され、前記第６端子部から前記第４端子部に電流が流れる
ことを特徴とする発光モジュール装置。
【請求項２】
前記複数の発光装置は、前記回路基板上において直線状に配列されている
ことを特徴とする請求項１に記載の発光モジュール装置。
【請求項３】
前記複数の発光装置は、前記回路基板上において円周状に配列されている
ことを特徴とする請求項１に記載の発光モジュール装置。
【請求項４】
前記第６端子部と前記第１発光素子とを結ぶ回路は、前記第２発光部の外側を通過するように配設され、
前記第１発光部は、前記第６端子部から前記第４端子部に電流が流れたときの前記第１発光素子の発光に基づき発光し、
前記第３端子部と前記第２発光素子とを結ぶ回路は、前記第１発光部の外側を通過するように配設され、
前記第２発光部は、前記第３端子部から前記第５端子部に電流が流れたときの前記第２発光素子の発光に基づき発光する
ことを特徴とする請求項１から請求項３のうちいずれか１項に記載の発光モジュール装置。
【請求項５】
前記複数の発光装置のうち前記第１端子部に接続される１の発光装置は、前記第３端子部及び前記第４端子部の双方が前記第１端子部と電気的に接続され、
前記複数の発光装置のうち前記第２端子部に接続される１の発光装置は、前記第５端子部及び前記第６端子部の双方が前記第２端子部と電気的に接続される
ことを特徴とする請求項１から請求項４のうちいずれか１項に記載の発光モジュール装置。
【請求項６】
前記第２発光部は、前記第２発光素子の発光に基づき前記第１発光部とは異なる色の光を出射する
ことを特徴とする請求項１から請求項５のうちいずれか１項に記載の発光モジュール装置。
【請求項７】
請求項１から請求項６のうちいずれか１項に記載の発光モジュール装置と、
前記第１発光部が出射する光および前記第２発光部が出射する光の輝度と色度とのうち少なくとも一方を制御する制御部とを備える
ことを特徴とする照明装置。
【請求項８】
第１発光素子と、
第２発光素子と、
前記第１発光素子を収納し、前記第１発光素子の発光に基づき所定の色の光を出射する第１発光部と、
前記第２発光素子を収納し、前記第２発光素子の発光に基づき所定の色の光を出射する第２発光部と
を備え、
前記第１発光部側における発光装置の第１端部には、回路基板から制御電力が供給される第３端子部と第４端子部とが並んで設けられ、
前記第２発光部側における前記第１端部と相対する発光装置の第２端部には、回路基板から制御電力が供給され、前記第３端子部と相対する位置に配置される第５端子部と前記第４端子部と相対する位置に配置される第６端子部とが並んで設けられ、
前記第３端子部と前記第５端子部とが電気的に接続され、前記第３端子部から前記第５端子部に電流が流れるとともに、前記第４端子部と前記第６端子部とが電気的に接続され、前記第６端子部から前記第４端子部に電流が流れる
ことを特徴とする発光装置。
【請求項９】
前記第６端子部と前記第１発光素子とを結ぶ回路は、前記第２発光部の外側を通過するように配設され、
前記第１発光部は、前記第６端子部から前記第４端子部に電流が流れたときの前記第１発光素子の発光に基づき発光し、
前記第３端子部と前記第２発光素子とを結ぶ回路は、前記第１発光部の外側を通過するように配設され、
前記第２発光部は、前記第３端子部から前記第５端子部に電流が流れたときの前記第２発光素子の発光に基づき発光する
ことを特徴とする請求項８に記載の発光装置。
【請求項１０】
前記第２発光部は、前記第２発光素子の発光に基づき前記第１発光部とは異なる色の光を出射する
ことを特徴とする請求項８または請求項９に記載の発光装置。
【発明の詳細な説明】
【技術分野】
【０００１】
本発明は、半導体発光素子を用いた発光モジュール装置、照明装置および発光装置に関する。
【背景技術】
【０００２】
近年、省エネルギー性やその他の様々な目的のために、従来の照明装置に代えて半導体発光素子である発光ダイオード（Light-emitting Diode：ＬＥＤ）を用いた照明装置が提案されている。
【０００３】
また、従来の光源では実現困難であった色調可変照明の光源としてもＬＥＤは期待されている。特許文献１には、調色可能なように、出力される光のスペクトルが互いに異なる複数の発光部がそれぞれ設けられた複数の半導体発光装置を備えた発光モジュール装置が記載されている。
【０００４】
特許文献１に記載されている発光モジュール装置は、各半導体発光装置に設けられた各発光部の制御系統毎に独立して複数の導体パターンが設けられ、各半導体発光装置に制御電力を供給する電力供給回路基板を有する。そして、電力供給回路基板は、各半導体発光装置を互いに並列に接続するための並列接続部を有する。
【先行技術文献】
【特許文献】
【０００５】
【特許文献１】特開２０１２−４２６６号公報
【発明の概要】
【発明が解決しようとする課題】
【０００６】
しかしながら、特許文献１に記載されている発光モジュール装置は、制御系統が異なる複数の導体パターンを電気的に非接触の状態で交差するように並列接続部が構成されており、配線構造が複雑になるという問題がある。
【０００７】
本発明はこのような課題に鑑みてなされたものであり、その目的とするところは、簡易な配線構造で、出力する光の色分離を有効に防止することができる発光モジュール装置、照明装置および発光装置を提供することにある。
【課題を解決するための手段】
【０００８】
上記目的を達成するため、本発明による発光モジュール装置は、第１発光素子と、第２発光素子と、前記第１発光素子を収納し、前記第１発光素子の発光に基づき所定の色の光を出射する第１発光部と、前記第２発光素子を収納し、前記第２発光素子の発光に基づき所定の色の光を出射する第２発光部とを有する複数の発光装置と、前記複数の発光装置が配列され、各発光装置に制御電力を供給する第１端子部及び第２端子部を有する回路基板と、を備える。また、前記各発光装置は、前記回路基板上に、前記第１発光部、及び前記第２発光部が当該各発光装置の配列方向に対して交互に位置するように配置されており、前記第１発光部側における前記各発光装置の第１端部には、第３端子部と第４端子部とが並んで設けられ、前記第２発光部側における前記各発光装置の前記第１端部と相対する第２端部には、前記第３端子部と相対する位置に配置される第５端子部と前記第４端子部と相対する位置に配置される第６端子部とが並んで設けられる。そして、前記各発光装置は、前記第３端子部と前記第５端子部とが電気的に接続され、前記第３端子部から前記第５端子部に電流が流れるとともに、前記第４端子部と前記第６端子部とが電気的に接続され、前記第６端子部から前記第４端子部に電流が流れることを特徴とする。
【０００９】
従って、複数の発光装置が、各発光装置の第１発光部と第２発光部とが当該各発光装置の配列方向に交互に位置するようにそれぞれ配置されているので、発光モジュール装置が出力する光の色分離を良好に防止することができる。また、第１発光部に制御電力を供給するための内部配線と第２発光部に制御電力を供給するための内部配線とが交差しないように配設されるので、制御系統が異なる複数の導体パターンが交差する場合に比べて、配線構造をより簡易にすることができる。
【００１０】
本発明による照明装置は、本発明による発光モジュール装置と、前記第１発光部が出射する光および前記第２発光部が出射する光の輝度と色度とのうち少なくとも一方を制御する制御部とを備えることを特徴とする。
【００１１】
従って、制御部が、第１発光部が出射する光および第２発光部が出射する光の輝度と色度とのうち少なくとも一方を制御するので、出力する光の色分離を有効に防止しつつ、第１発光部が出射する光と第２発光部が出射する光との合成光である照明装置から発せられる光の輝度と色度とのうち少なくとも一方を制御することができる。
【００１２】
また、本発明による発光装置は、第１発光素子と、第２発光素子と、前記第１発光素子を収納し、前記第１発光素子の発光に基づき所定の色の光を出射する第１発光部と、前記第２発光素子を収納し、前記第２発光素子の発光に基づき所定の色の光を出射する第２発光部とを備える。また、前記発光装置は、前記第１発光部側における発光装置の第１端部には、回路基板から制御電力が供給される第３端子部と第４端子部とが並んで設けられ、前記第２発光部側における前記第１端部と相対する発光装置の第２端部には、回路基板から制御電力が供給され、前記第３端子部と相対する位置に配置される第５端子部と前記第４端子部と相対する位置に配置される第６端子部とが並んで設けられる。そして、前記発光装置は、前記第３端子部と前記第５端子部とが電気的に接続され、前記第３端子部から前記第５端子部に電流が流れるとともに、前記第４端子部と前記第６端子部とが電気的に接続され、前記第６端子部から前記第４端子部に電流が流れることを特徴とする。
【００１３】
従って、本発明による発光装置では、第１発光部に制御電力を供給するための内部配線と第２発光部に制御電力を供給するための内部配線とが交差しないように配設されるので、制御系統が異なる複数の導体パターンが交差する場合に比べて、配線構造をより簡易にすることができる。
【発明の効果】
【００１４】
本発明によれば、簡易な配線構造で、出力する光の色分離を有効に防止することができる発光モジュール装置、照明装置および発光装置を実現することができる。
【図面の簡単な説明】
【００１５】
【図１】本発明の第１実施形態の発光モジュール装置の構成例を示す上面図である。
【図２】本発明の第１実施形態の発光モジュール装置の発光装置における発光素子の実装状態を示す上面図である。
【図３】図２に示すIII-III線に沿う断面図である。
【図４】本実施形態における発光装置のベースの表面を示す上面図である。
【図５】本実施形態における発光装置のベースの裏面を示す下面図である。
【図６】第２実施形態の発光モジュール装置の構成例を示す上面図である。
【発明を実施するための形態】
【００１６】
以下、図面に基づき本発明の実施形態について説明する。
＜第１実施形態＞
図１は、本発明の第１実施形態の発光モジュール装置１０を含む照明装置１の構成例を示す上面図である。図１に示すように、概略的な構成として、照明装置１は、発光モジュール装置１０と制御電力供給部（制御部）３０とを含む。発光モジュール装置１０は、複数の発光装置１−１〜１−ｎと、当該複数の発光装置１−１〜１−ｎが上面上に直線状に配列されている回路基板２０とを含む。
【００１７】
複数の発光装置１−１〜１−ｎについて説明する。複数の発光装置１−１〜１−ｎは、各発光装置１−１〜１−ｎは、後述する第１発光部１２Ａと第２発光部１２Ｂとが当該各発光装置１−１〜１−ｎの配列方向に交互に位置するようにそれぞれ配置されている。なお、後述する第１発光部１２Ａと第２発光部１２Ｂとを総称して発光部１２ともいう。
【００１８】
回路基板２０について説明する。図１に示すように、本実施形態の回路基板２０は矩形状に形成され、一方の短辺部と他方の短辺部とには、後述する制御電力供給部３０にそれぞれ電気的に接続される第１端子部４１と第２端子部４２とが設けられている。また、各発光装置１−１〜１−ｎには、第１端子部４１または第２端子部４２に電気的に接続される第３端子部４３、第４端子部４４、第５端子部４５および第６端子部４６がそれぞれ設けられている。具体的には、発光装置１−１の第３端子部４３と第４端子部４４とは第１端子部４１に電気的に接続され、当該第１端子部４１を介して１系統の配線で制御電力供給部３０の一方の出力端に接続され、発光装置１−ｎの第５端子部４５と第６端子部４６とは第２端子部４２に電気的に接続され、当該第２端子部４２を介して他の１系統の配線で制御電力供給部３０の他方の出力端に接続されている。つまり、本実施形態の発光モジュール装置１０は、第１端子部４１を介して接続される系統および第２端子部４２を介して接続される系統の２系統の配線によって、制御電力供給部３０の出力端に接続されている。なお、発光モジュール装置１０は、発光装置１−１の第３端子部４３に接続される系統および第４端子部４４に接続される系統と、発光装置１−ｎの第５端子部４５に接続される系統および第６端子部４６に接続される系統との４系統の配線によって制御電力供給部３０に接続されていてもよい。
【００１９】
そして、回路基板２０には、第１端子部４１と発光装置１−１の第３端子部４３および第４端子部４４とを電気的に接続する配線２５が形成されている。また、回路基板２０には、第２端子部４２と発光装置１−ｎの第５端子部４５および第６端子部４６とを電気的に接続する配線２６が形成されている。さらに、回路基板２０には、発光装置１−１〜１−（ｎ−１）の第５端子部４５と発光装置１−２〜１−ｎの第３端子部４３とを電気的に接続する配線２７ａがそれぞれ形成されている。さらに、回路基板２０には、発光装置１−１〜１−（ｎ−１）の第６端子部４６と発光装置１−２〜１−ｎの第４端子部４４とを電気的に接続する配線２７ｂがそれぞれ形成されている。すなわち、隣り合う発光装置１−１〜１−（ｎ−１）と発光装置１−２〜１−ｎとの間は、２本の配線２７ａ，２７ｂで交差することなくそれぞれ接続されている。
【００２０】
従って、発光装置１−１の第３端子部４３および第４端子部４４は、配線２５を介して第１端子部４１に電気的に接続されている。また、発光装置１−２〜１−ｎの第３端子部４３および第４端子部４４は、自身の発光装置と発光装置１−１との間に存在する発光装置および配線２５，２７ａ，２７ｂを介して第１端子部４１に電気的に接続されている。さらに、発光装置１−１〜１−（ｎ−１）の第５端子部４５および第６端子部４６は、自身の発光装置と発光装置１−ｎとの間に存在する発光装置および配線２６，２７ａ，２７ｂを介して第２端子部４２に電気的に接続されている。
【００２１】
図２は、本発明の第１実施形態の発光モジュール装置１０の発光装置１−１の実装状態を示す上面図である。また、図３は、図２に示すIII-III線に沿う断面図である。図２および図３には、発光装置１−１〜１−ｎの例として、発光装置１−１について示されているが、発光装置１−２〜１−ｎの構成は、図２および図３に示す発光装置１−１の構成と同様である。
【００２２】
図２および図３に示すように、発光装置１−１は、平板のベース２上に、側壁部１１を有している。図３に示す発光装置１−１の上面図における一方向をＸ方向、当該上面図においてＸ方向と直交する方向をＹ方向、発光装置１−１の高さ方向をＺ方向と定義すると、図３に示すように、側壁部１１は、ベース２上の＋Ｚ方向に設けられている。そして、図２に示すように、＋Ｚ方向に設けられた側壁部１１に囲まれることによって、第１発光部１２Ａと第２発光部１２Ｂとが形成されている。第１発光部１２Ａと第２発光部１２Ｂとは同一の形状であって、並んで配置されている。
【００２３】
発光装置１−１の上面側の方向（＋Ｚ方向）は、各発光部１２による光の出射方向となり、各発光部１２は、図２に示すように、短辺がそれぞれ外側に湾曲している矩形状の開口部を形成している。一方で、発光装置１−１のベース２の下面（ベース２において−Ｚ方向を向く面）には、詳細は後述するが、各半導体発光素子への電力供給のため、図５に示す配線が敷設等されている。
【００２４】
ここで、側壁部１１において、第１発光部１２Ａと第２発光部１２Ｂとを分割する部分（換言すれば、第１発光部１２Ａと第２発光部１２Ｂとに挟まれた部分）を間仕切り１１ａという。
【００２５】
図２に示すように、第１発光部１２Ａには、半導体発光素子であり近紫外光〜紫外光を出力光とする半導体発光素子（以下、単に発光素子という。）３Ａが６個実装されている。また、第２発光部１２Ｂには、発光素子３Ｂが６個実装されている。発光素子３Ａ，３Ｂを包括的に参照する場合は発光素子３と称する。なお、発光部１２に配置される発光素子３の数は相違させてもよい。また、発光部１２の各々には、少なくとも１つの発光素子が配置されていればよい。
【００２６】
第１発光部１２Ａに収納されている発光素子３Ａ（第１発光素子）は、電力が供給されることにより近紫外〜紫領域（波長が３６０〜４３０ｎｍである領域）の光を発する。第１発光部１２Ａには、さらに、発光素子３Ａが発した光によって励起されて蛍光を発する第１蛍光部４Ａが設けられている。そして、第１発光部１２Ａは、発光素子３Ａが発した光によって励起されて第１蛍光部４Ａが発した蛍光である所定の第１の色の光を発する。
【００２７】
第２発光部１２Ｂに収納されている発光素子３Ｂ（第２発光素子）は、電力が供給されることにより近紫外領域の光を発する。第２発光部１２Ｂには、さらに、発光素子３Ｂが発した光によって励起されて蛍光を発する第２蛍光部４Ｂが設けられている。そして、第２発光部１２Ｂは、発光素子３Ｂが発した光によって励起されて第２蛍光部４Ｂが発した蛍光である所定の第２の色の光を発する。第２発光部１２Ｂは、例えば、第１発光部１２Ａよりも色温度が低い光を発する。従って、第２の色の色温度は、例えば、前述した第１の色の色温度よりも低い。なお、第２発光部１２Ｂは、第１発光部１２Ａよりも色温度が高い光を発してもよい。つまり、第２の色の色温度は、前述した第１の色の色温度よりも高くてもよい。
【００２８】
＜発光部の構成＞
次に、発光部１２について詳細に説明する。図２及び図３から分かるように、発光部１２Ａは、発光素子３Ａ及び第１蛍光部４Ａを備えている。また、発光部１２Ｂは、発光素子３Ｂ及び第２蛍光部４Ｂを備えている。第１蛍光部４Ａ、第２蛍光部４Ｂを包括的に参照する場合は蛍光部４と称する。
【００２９】
本実施例において、発光素子３は、例えば、４１０ｎｍのピーク波長を有した紫色光を発する紫色ＬＥＤチップである。具体的な紫色ＬＥＤチップとして、例えば、ＧａＮやＰＳＳを基板とし、ＩｎＧａＮ半導体が発光層に用いられるＧａＮ系ＬＥＤチップがある。本実施例においてＬＥＤチップが発する光のピーク波長は、４００ｎｍ〜４２０ｎｍの波長範囲内にあるのが好ましく、４０５ｎｍ〜４１５ｎｍの波長範囲内にあることがより好ましい。なお、紫色ＬＥＤチップに代えて、紫外線を出射する他のＬＥＤチップや、又は近紫外チップを用いてもよい。
【００３０】
蛍光部４は、発光素子３から出射する光を青色光に波長変換する青色蛍光体、紫色ＬＥＤチップから出射する紫色光を緑色光に波長変換する緑色蛍光体、紫色ＬＥＤチップから出射する紫色光を赤色光に波長変換する赤色蛍光体、これらの蛍光体を保持するとともに紫色ＬＥＤチップを覆う母材から構成されている。
【００３１】
従って、本実施例の発光部１２は、発光素子３から出射する光を、各種の蛍光体によって青色光、緑色光、及び赤色光に波長変換し、これらの青色光、緑色光、及び赤色光の合成光を白色光として出射する。
【００３２】
具体的な紫色ＬＥＤチップとして、例えば、ＧａＮやＰＳＳを基板とし、ＩｎＧａＮ半導体が発光層に用いられるＧａＮ系ＬＥＤチップがある。本実施例においてＬＥＤチップ３が発する光のピーク波長は、４００ｎｍ〜４２０ｎｍの波長範囲内にあるのが好ましく、４０５ｎｍ〜４１５ｎｍの波長範囲内にあることがより好ましい。なお、紫色ＬＥＤチップに代えて、紫外線を出射する他のＬＥＤチップや、又は近紫外チップを用いてもよい。
【００３３】
具体的な青色蛍光体としては、例えば、ＳＢＣＡ、ＳＣＡ、ＢＡＭの中から選択される少なくとも１以上の蛍光体を用いることができる。具体的な緑色蛍光体としては、例えば、β−ＳｉＡｌＯＮ、ＢＳＳ、ＢＳＯＮ、Ｇ−ＢＡＭの中から選択される少なくとも１以上の蛍光体を用いることができる。具体的な赤色蛍光体としては、例えば、ＣＡＳＯＮ、ＳＣＡＳＮ、ＬＯＳ、ＫＳＦ、ＫＳＮＡＦの中から選択される少なくとも１以上の蛍光体を用いることができる。
【００３４】
また、具体的な母材としては、例えば、シリコーン系樹脂、エポキシ樹脂、ポリカーボネート樹脂等の種々の樹脂又はガラス等の透光性を備える材料を用いることができる。
【００３５】
＜ベースの構成＞
図４は、本実施形態における発光装置１−１のベース２の表面を示す上面図である。図５は、本実施形態における発光装置１−１のベース２の下面を示す下面図である。図４の上面図において、左側が第１発光部１２Ａ側の領域であり、右側が第２発光部１２Ｂ側の領域である。図５の下面図においては、右側が第１発光部１２Ａ側の領域であり、左側が第２発光部１２Ｂ側の領域である。
【００３６】
ベース２の表面には、配線２０Ａ’，２０Ａ”，２０Ｂ’，２０Ｂ”，２１Ａ’，２１Ａ”，２１Ｂ’，２１Ｂ”が、金等の導電性物質によるめっき処理等の種々の配線形成処理が施されることにより形成されている。なお、配線２０Ａ’〜 ２１Ｂ”は、それぞれハッチングで示されている。
【００３７】
図４に示す配線２０Ｂ’と図５に示す配線２１Ｂ’とは、例えば、ベース２の側面に施された金等の導電性物質によるめっき処理によって電気的に接続されている。そして、配線２１Ｂ’は、回路基板２０に形成されている配線２５または配線２７ａに、例えば、半田接合によって電気的に接続される。従って、配線２１Ｂ’は、配線２５または配線２７ａを介して第１端子部４１または第５端子部４５に電気的に接続される第３端子部４３となる。
【００３８】
図４に示す配線２０Ｂ”，２０Ａ’，２０Ａ”は、配線２１Ｂ”，２１Ａ’，２１Ａ”と、前述した配線２０Ｂ’と配線２１Ｂ’との接続と同様に、例えば、ベース２の側面に施された金等の導電性物質によるめっき処理によって電気的にそれぞれ接続されている。そして、配線２１Ｂ”は回路基板２０に形成されている配線２７ａまたは配線２６に、配線２１Ａ’は回路基板２０に形成されている配線２７ｂまたは配線２６に、配線２１Ａ”は回路基板２０に形成されている配線２７ｂまたは配線２５に、前述した配線２０Ｂ’と同様に、例えば、半田接合によって電気的に接続される。
【００３９】
従って、配線２１Ｂ”は、配線２７ａまたは配線２６を介して第３端子部４３または第２端子部４２に電気的に接続される第５端子部４５となる。また、配線２１Ａ’は、配線２７ｂまたは配線２６を介して第４端子部４４または第２端子部４２に電気的に接続される第６端子部４６となる。配線２１Ａ”は、配線２７ｂまたは配線２５を介して第６端子部４６または第１端子部４１に電気的に接続される第４端子部４４となる。
【００４０】
よって、図４に示す例では、第３端子部４３と第４端子部４４とはベース２の左端に並んで設けられ、第５端子部４５と第６端子部４６とはベース２の右端に並んで設けられている。
【００４１】
そして、図４に示す例では、ベース２の上面図において、左端（第１端部）上部に示されている第３端子部４３および左端（第１端部）下部に示されている第４端子部４４と、右端（第２端部）上部に示されている第５端子部４５および右端（第２端部）下部に示されている第６端子部４６とは、第１発光部１２Ａと第２発光部１２Ｂとの間の間仕切り１１ａが設けられる領域を挟んでベース２における相対する位置にそれぞれ配置されている。
【００４２】
図２および図４に示すように、配線２０Ａ”，２０Ａ’には、第１発光部１２Ａに収納されている発光素子３Ａの一方の端子が接続される電極である発光素子接続電極１２０Ａ”，１２０Ａ’がそれぞれ設けられている。従って、配線２０Ａ”は、第４端子部４４と発光素子接続電極１２０Ａ”とを電気的に接続し、配線２０Ａ’は、第６端子部４６と第１発光部１２Ａに収納されている発光素子３Ａの他方の端子とを電気的に接続する。よって、配線２０Ａ”は、第４端子部４４と発光素子３Ａの一方の端子とを電気的に接続し、配線２０Ａ’は、第６端子部４６と第１発光部１２Ａに収納されている発光素子３Ａの他方の端子とを電気的に接続する。
【００４３】
そして、配線２０Ａ’は、図４に示すベース２の上面図において、第１発光部１２Ａと第２発光部１２Ｂとの間の間仕切り１１ａが設けられている領域、および第２発光部１２Ｂの下側の領域を通過するように配設されている。つまり、配線２０Ａ’は、発光素子接続電極１２０Ａ’から第６端子部４６に接続されている図４に示すベース２の上面図における右端部に向かって、第２発光部１２Ｂの外側を通過して迂回するように配設されている。
【００４４】
図２および図４に示すように、配線２０Ｂ’，２０Ｂ”には、第２発光部１２Ｂに収納されている発光素子３Ｂの一方の端子が接続される電極である発光素子接続電極１２０Ｂ’，１２０Ｂ”がそれぞれ設けられている。従って、配線２０Ｂ’は、第３端子部４３と発光素子接続電極１２０Ｂ’とを電気的に接続し、配線２０Ｂ”は、第５端子部４５と発光素子接続電極１２０Ｂ”とを電気的に接続する。よって、配線２０Ｂ’は、第３端子部４３と発光素子３Ｂの一方の端子とを電気的に接続し、配線２０Ｂ”は、第５端子部４５と第２発光部１２Ｂに収納されている発光素子３Ｂの他方の端子とを電気的に接続する。
【００４５】
そして、配線２０Ｂ’は、図４に示すベース２の上面図において、第１発光部１２Ａの上側の領域、および第１発光部１２Ａと第２発光部１２Ｂとの間の間仕切り１１ａが設けられている領域を通過するように配設されている。つまり、配線２０Ｂ’は、発光素子接続電極１２０Ｂ’から第３端子部４３に接続されている図４に示すベース２の上面図における左端部に向かって、第１発光部１２Ａの外側を通過して迂回するように配設されている。
【００４６】
なお、図２および図４に示す例では、発光素子接続電極１２０Ａ’，１２０Ａ”，１２０Ｂ’，１２０Ｂ”は、それぞれ３個ずつ設けられている。
【００４７】
図４に示すように、３個の発光素子接続電極１２０Ａ”、３個の発光素子接続電極１２０Ａ’、３個の発光素子接続電極１２０Ｂ’、および３個の発光素子接続電極１２０Ｂ”は、ベース２の上面図においてそれぞれ縦方向に並設されている。
【００４８】
また、各発光素子接続電極１２０Ａ’は、第１発光部１２Ａ側において、各発光素子接続電極１２０Ａ”よりも第２発光部１２Ｂに近い領域にそれぞれ設けられている。また、各発光素子接続電極１２０Ｂ’は、第２発光部１２Ｂ側において、各発光素子接続電極１２０Ｂ”よりも第１発光部１２Ａに近い領域にそれぞれ設けられている。
【００４９】
そして、図２および図４に示す例では、各発光素子接続電極１２０Ａ”と各発光素子接続電極１２０Ａ’と、および各発光素子接続電極１２０Ｂ’と各発光素子接続電極１２０Ｂ”とは３個の発光素子３Ａによってそれぞれ電気的に接続されている。前述したように、各発光素子接続電極１２０Ａ”には発光素子３Ａの一方の端子がそれぞれ接続され、各発光素子接続電極１２０Ａ’には発光素子３Ａの他方の端子がそれぞれ接続される。また、各発光素子接続電極１２０Ｂ’には発光素子３Ｂの一方の端子がそれぞれ接続され、各発光素子接続電極１２０Ｂ”には発光素子３Ｂの他方の端子がそれぞれ接続される。
【００５０】
ここで、発光素子３Ａの一方の端子がカソード側の端子であり、他方の端子がアノード側の端子である場合に、つまり、各発光素子接続電極１２０Ａ”に発光素子３Ａのカソード側の端子が接続され、各発光素子接続電極１２０Ａ’に発光素子３Ａのアノード側の端子が接続されている場合に、各発光素子接続電極１２０Ａ’側から各発光素子接続電極１２０Ａ”側に電流が流れれば、つまり、第６端子部４６から第４端子部４４に電流が流れれば発光素子３Ａは発光し、第１発光部１２Ａは、発光素子３Ａが発した光によって励起されて第１蛍光部４Ａが発した蛍光である第１の色の光を発する。
【００５１】
また、前述した発光素子３Ａとは逆極性に、各発光素子接続電極１２０Ｂ’に発光素子３Ｂのアノード側の端子が接続され、各発光素子接続電極１２０Ｂ”に発光素子３Ｂのカソード側の端子が接続されている場合に、各発光素子接続電極１２０Ｂ’側から各発光素子接続電極１２０Ｂ”側に電流が流れれば、つまり、第３端子部４３から第５端子部４５に電流が流れれば発光素子３Ｂが発光し、第２発光部１２Ｂは、発光素子３Ｂが発した光によって励起されて第２蛍光部４Ｂが発した蛍光である第２の色の光を発する。
【００５２】
そして、第３端子部４３および第４端子部４４は間接的に（配線２５，２７ａ，２７ｂ等を介して）第１端子部４１に接続され、第５端子部４５および第６端子部４６は間接的に（配線２６，２７ａ，２７ｂ等を介して）第２端子部４２に接続されている。従って、第１端子部４１から第２端子部４２に電流が流れれば、発光素子３Ｂが発光し、第２発光部１２Ｂは、発光素子３Ｂが発した光によって励起されて第２蛍光部４Ｂが発した蛍光である第２の色の光を発する。同様に、第２端子部４２から第１端子部４１に電流が流れれば、発光素子３Ａが発光し、第１発光部１２Ａは、発光素子３Ａが発した光によって励起されて第１蛍光部４Ａが発した蛍光である第１の色の光を発する。
【００５３】
＜制御電力供給部＞
次に、制御電力供給部３０について説明する。制御電力供給部３０は、回路基板２０へ供給する制御電力を制御することによって、各発光装置１−１〜１−ｎに対する駆動電流を系統毎に独立して制御することで、各発光装置１−１〜１−ｎの調光および調色のうち少なくとも一方の制御を行う。
【００５４】
具体的には、制御電力供給部３０は、商用電源のような交流電源から供給された交流電流を直流電流に変換し、その直流電流から自励発振周波数による所望の周波数の交流電流を生成し、発光モジュール装置１０の各発光装置１−１〜１−ｎにおける発光素子３Ａ，３Ｂのそれぞれに駆動電流として供給する。ここで、制御電力供給部３０は、発光素子３Ａの平均電流値と発光素子３Ｂの平均電流値との比を一定に保ちつつ、発光素子３Ａ，３Ｂのそれぞれの平均電流値を変化させて、発光モジュール装置１０から出力される合成光の色度（色相、色温度）を変えることなく輝度を調整することを可能にしている。また、制御電力供給部３０は、発光素子３Ａの平均電流値と発光素子３Ｂの平均電流値との合計値を一定に保ちつつ、発光素子３Ａ，３Ｂのそれぞれの平均電流値を変化させて、輝度を変えることなく色度（色相、色温度）を調整することを可能にしている。
【００５５】
＜本実施形態の効果＞
本実施形態によれば、複数の発光装置１−１〜１−ｎは、各発光装置１−１〜１−ｎの第１発光部１２Ａと第２発光部１２Ｂとが当該各発光装置１−１〜１−ｎの配列方向に交互に位置するようにそれぞれ配置されているので、間仕切り１１ａが各発光装置１−１〜１−ｎの配列方向に沿うように配置された場合に比べて、発光モジュール装置１０が出力する光の色分離を良好に防ぐことができる。
【００５６】
本実施形態によれば、第１制御系統の配線（配線２７ａ，２０Ｂ’，２０Ｂ”等）と第２制御系統（配線２７ｂ，２０Ａ’，２０Ａ”等）とが交差しないように配設されているので、特許文献１に記載されている発光モジュールのように制御系統が異なる複数の導体パターンが互いに交差する場合に比べて、配線構造をより簡易にすることができる。
【００５７】
さらに、本実施形態によれば、第６端子部４６と発光素子接続電極１２０Ａ’とを結ぶ回路が第２発光部１２Ｂの外側を通過するように配設され、第３端子部４３と発光素子接続電極１２０Ｂ’とを結ぶ回路が第１発光部１２Ａの外側を通過するように配設されているので、発光モジュール装置１０の配線構造を簡易にすることができる。それにもかかわらず、当該発光モジュール装置１０が発する光の色分離を良好に防ぎつつ、色度（色相、色温度）を変えることなく輝度を調整することができ、また、輝度を変えることなく色度（色相、色温度）を調整することが可能にすることができる。
【００５８】
また、本実施形態によれば、発光装置１−１は、第３端子部４３および第４端子部４４の双方が第１端子部４１と電気的に接続され、発光装置１−ｎは、第５端子部４５および第６端子部４６の双方が第２端子部４２と電気的に接続されているので、発光装置１−１の第１端子部４１から発光装置１−ｎの第２端子部４２に向かって電流が流れるときと、発光装置１−ｎの第２端子部４２から発光装置１−１の第１端子部４１に向かって電流が流れるときとで、電流が流れる方向を変化させて光を発する発光部１２を変化させ、発光モジュール装置１０から発せられる光の特性を変化させることが可能になる。
【００５９】
本実施形態によれば、第１発光部１２Ａが発する光の色と第２発光部１２Ｂが発する光の色とが異なるように構成されているので、第１発光部１２Ａが発する光と第２発光部１２Ｂが発する光との合成光である発光モジュール装置１０から発せられる光の色を、第１発光部１２Ａが発する光の色と第２発光部１２Ｂが発する光の色との間で調整することができる。
【００６０】
本実施形態の発光モジュール装置１０は、例えば、発光装置１−１〜１−ｎが直線状または曲線状に配列されたラインモジュール照明機器に好適に採用される。
【００６１】
＜第２実施形態＞
図６は、第２実施形態の発光モジュール装置１００を含む照明装置５０の構成例を示す上面図である。第１実施形態の発光モジュール装置１０は、図１に示すように、発光装置１−１〜１−ｎが直線状に配列されているが、本実施形態の発光モジュール装置１００では、図６に示すように、各発光装置１−１〜１−５の第１発光部１２Ａと第２発光部１２Ｂとが配列方向に対して交互に位置するように、円周状に配列されている。各発光装置１−１〜１−ｎの構成および各配線２５，２６，２７ａ，２７ｂは、第１実施形態における構成と同様なため、説明を省略する。
【００６２】
図６に示すように、第２実施形態の発光モジュール装置１００における回路基板２００は、前述した第１実施形態における発光装置１−１〜１−ｎと同様な構成の発光装置１−１〜１−ｎを搭載（実装）するための基板であり、本実施形態では５個の発光装置（発光装置１−１〜１−５）を搭載する。本実施形態において回路基板２００は略円状を呈している。但し、回路基板２００の形状はこれに限られず、他の形状を採用してもよい。具体的には、例えば、回路基板２００の中心に円形の孔が形成されることで、環状（ドーナツ状）となっていてもよい。
【００６３】
そして、回路基板２００には、電気の逆流防止用に設けられるツェナーダイオード等の電力制御用電子部品（図示省略）が設置されていてもよい。なお、このような電力制御用電子部品は、必ずしも回路基板２００上に設置する必要はなく、回路基板２００の外部に設置してもよい。また、電力制御用電子部品を発光装置１−１〜１−５の内部に配置するようにしてもよい。
【００６４】
本実施形態においても、第１実施形態と同様に、各発光装置１−１〜１−５の第１発光部１２Ａと第２発光部１２Ｂとが、配列方向に対して交互に位置するように配置されている。このような配置パターンによれば、各発光装置１−１〜１−５の第１発光部１２Ａと第２発光部１２Ｂとからの射出光が混合されやすくなり、色分離を良好に抑制することができる。
【００６５】
そして、前述した制御電力供給部３０に接続されているので、第１実施形態における発光モジュール装置１０と同様に、発光モジュール装置１００の配線構造が簡易であるにもかかわらず、当該発光モジュール装置１００が発する光の色分離を良好に防ぎつつ、色度（色相、色温度）を変えることなく輝度を調整することができ、また、輝度を変えることなく色度（色相、色温度）を調整することが可能である。
【００６６】
本実施形態の発光モジュール装置１００は、例えば、光の放射面の外形形状が円形状であるダウンライト照明機器に好適に採用される。
【００６７】
なお、本実施形態では、発光モジュール装置１００の光の放射面の外形形状が円形状であるとして説明したが、楕円形状であってもよいし、三角形や四角形等の多角形形状であってもよいし、外郭に曲線が用いられた他の形状であってもよい。
【００６８】
以上に述べた各実施形態の発光装置１−１〜１−ｎは、電力が供給されることにより近紫外領域の光を発する発光素子３Ａ，３Ｂが採用されているが、電力が供給されることにより青色光を発する青色発光ダイオード素子等の発光ダイオード素子が採用されてもよく、これらの発光ダイオード素子が組み合わされて採用されてもよい。
【００６９】
また、以上に述べた各実施形態では、発光装置１−１〜１−ｎは白色光を出力するとして説明したが、他の色を発するように構成されていてもよい。そして、第１蛍光部４Ａおよび第２蛍光部４Ｂのそれぞれには、発光装置１−１〜１−ｎが発する目的の光の色や、発光素子３Ａ，３Ｂが近紫外領域の光を発するのか、青色光を発するのか、または白色光を発するのか等に応じて、青色蛍光体、緑色蛍光体、黄色蛍光体、および赤色蛍光体のうちいずれか１種以上の蛍光体がそれぞれ選択されて母材とともに含まれていてもよい。なお、各色の蛍光体には、上述した例に限られず他の種類の蛍光体が用いられてもよい。そして、複数種類の蛍光体が充填剤とともに混合されて用いられてもよい。また、母材には光の放射方向を拡散する拡散剤が含まれていてもよい。
【００７０】
なお、第１蛍光部４Ａおよび第２蛍光部４Ｂは、母材とともに含まれる蛍光体が発光素子３Ａ，３Ｂにそれぞれ直接接触するように構成されていてもよいし、蛍光体が発光素子３Ａ，３Ｂから離間した位置に配置されるリモートフォスファー型に構成されていてもよい。具体的には、リモートフォスファー型では、例えば、発光素子３Ａ，３Ｂから離間した位置に硝子等の透光性が高い板が配置され、当該板に蛍光体が塗布されている。なお、当該板が複数の領域に分けられ、青色蛍光体、緑色蛍光体、黄色蛍光体、および赤色蛍光体によって各領域が塗り分けられていてもよい。
【００７１】
また、以上に述べた各実施形態では、発光素子３Ａ，３Ｂは、それぞれ電気的に並列接続されているが、直列接続されていてもよいし、並列接続と直列接続とが組み合わされて接続されていてもよい。
【００７２】
発光素子３Ａ，３Ｂの各発光装置１−１〜１−ｎへの実装方法は、発光素子３Ａ，３Ｂの種類や構造などに応じて適切な方法を選択可能である。
【００７３】
また、第１発光部１２Ａおよび第２発光部１２Ｂから発せられる光は、合成光である白色光に限られず、青色光、緑色光、赤色光、またはこれらを合成して得られる有色の合成光であってもよい。
【００７４】
発光素子３のＬＥＤチップに青色光を発する青色ＬＥＤチップを用いる場合には、例えば、第１蛍光部４Ａは、当該青色光を励起光として吸収して黄色光を発する黄色蛍光体を分散して保持し、第２蛍光部４Ｂは、当該青色光を励起光として吸収して黄色光を発する黄色蛍光体および赤色光を発する赤色蛍光体を分散して保持してもよい。
【００７５】
また、発光素子３のＬＥＤチップは、以上に述べた種類や発光波長特性に限定されるものではなく、様々なＬＥＤチップなどの半導体発光素子を用いることができる。発光素子３ＡのＬＥＤチップに青色ＬＥＤチップを用い、発光素子３ＢのＬＥＤチップに赤色ＬＥＤチップや紫色ＬＥＤチップを用いる等して、発光素子３Ａに収容されるＬＥＤチップが発する光のピーク波長と発光素子３Ｂに収容されるＬＥＤチップが発する光のピーク波長とが相違していてもよい。
【符号の説明】
【００７６】
１、５０    照明装置
２    ベース
３Ａ、３Ｂ    発光素子
１０、１００    発光モジュール装置
１１    側壁部
１２Ａ    第１発光部
１２Ｂ    第２発光部
２０    回路基板
３０    制御電力供給部
４１    第１端子部
４２    第２端子部
４３    第３端子部
４４    第４端子部
４５    第５端子部
４６    第６端子部
１−１〜１−ｎ    発光装置
【図１】
2014044814.tif 000003
【図２】
2014044814.tif 000004
【図３】
2014044814.tif 000005
【図４】
2014044814.tif 000006
【図５】
2014044814.tif 000007
【図６】
2014044814.tif 000008